(57)【要約】      （修正有）【課題】ボルトの磨き作業を自動化して、作業者の労力を大幅に減らすことができ、コスト低減に役立つ大型ボルトの磨き装置を提供する。【解決手段】基台１２上の両端部に各対設した支持部材１３、１４に亘り所要間隔で並設した一対の円筒状の回転ブラシ１０、１１と、前記回転ブラシの一方又は両方を回転させ得る回転駆動手段２０と、一方の回転ブラシを径方向に所定距離移動できて両回転ブラシの間隔を調節し得るブラシ移動手段３０と、前記両回転ブラシの接触部分に先端を位置させてボルトを水平状態で搬入できる搬入手段４０と、前記両回転ブラシの下方に配置して磨かれたボルトを両回転ブラシ間から送出できる搬出手段５０とを備えてなる。【選択図】図２
0003180894.tif 000002
【実用新案登録請求の範囲】
【請求項１】
基台上に立設した支持部材により水平に並設し且つ径方向に互いに離接可能に設けてなる一対の円筒状の回転ブラシと、前記回転ブラシの一方又は両方を回転させる回転駆動手段と、一方の回転ブラシを径方向に所定距離移動させるブラシ移動手段と、前記両回転ブラシの接触部方に設けてボルトを水平状態で搬入するための搬入手段と、前記両回転ブラシの下方に設けて磨かれたボルトを外方に送出するための搬出手段を備えてなる足場ボルト等の大型ボルトの磨き装置。
【請求項２】
基台上の両端部に各対設した支持部材に亘り所要間隔で並設した一対の円筒状の回転ブラシと、前記回転ブラシの一方又は両方を回転させ得る回転駆動手段と、一方の回転ブラシを径方向に所定距離移動できて両回転ブラシの間隔を調節し得るブラシ移動手段と、前記両回転ブラシの接触部分に先端を位置させてボルトを水平状態で搬入できる搬入手段と、前記両回転ブラシの下方に配置して磨かれたボルトを両回転ブラシ間から送出できる搬出手段とを備えてなる足場ボルト等の大型ボルトの磨き装置。
【請求項３】
前記並設した回転ブラシの接触部分の上部に配置し、ボルトの表面を磨くことのできる補助ブラシを設けてなる前記請求項１又は２記載の足場ボルト等の大型ボルトの磨き装置。
【考案の詳細な説明】
【技術分野】
【０００１】
本考案は、足場ボルト等の大型ボルトのメッキムラを除去するための装置に関する。
【背景技術】
【０００２】
従来、足場ボルトのような大型ボルトの表面に亜鉛メッキ等のメッキ処理を施す場合において、メッキ膜が均一に施されずにメッキムラが発生することがあった、
そのために、ワイヤブラシを用いて１本ずつ表面を手作業で磨くことにより、メッキムラを除去していた。
【考案の開示】
【考案が解決しようとする課題】
【０００３】
手作業により大量のボルトの表面処理するには作業上非常に時間がかかり、大変な労力が必要となる難点があった。
本考案は、上記難点に鑑みて、ボルトの磨き作業を自動化して、作業者の労力を大幅に減らすことができ、コスト低減に役立つようにしたものである。
【課題を解決するための手段】
【０００４】
本考案に係る足場ボルトの磨き装置は、基台上に立設した支持部材により水平に並設し且つ径方向に互いに離接可能に設けてなる一対の円筒状の回転ブラシと、一方の回転ブラシを径方向に所定距離移動させるブラシ移動手段と、前記回転ブラシの一方又は両方を回転させる回転駆動手段と、前記両回転ブラシの接触部方に設けてボルトを水平状態で搬入するための搬入手段と、前記両回転ブラシの下方に設けて磨かれたボルトを外方に送出するための搬出手段を備えてなる。
【０００５】
また、本考案に係る足場ボルトの磨き装置は、基台上の両端部に各対設した支持部材に亘り所要間隔で並設した一対の円筒状の回転ブラシと、一方の回転ブラシを径方向に所定距離移動できて両回転ブラシの間隔を調節し得るブラシ移動手段と、前記回転ブラシの一方又は両方を回転させ得る回転駆動手段と、前記両回転ブラシの接触部分に先端を位置させてボルトを水平状態で搬入できる搬入手段と、前記両回転ブラシの下方に配置して磨かれたボルトを両回転ブラシ間から送出できる搬出手段とを備えてなる
【０００６】
また、前記並設した回転ブラシの接触部分の上部に沿って配置し、ボルトの表面を磨くことの出来る補助ブラシを設ける場合がある。
【考案の効果】
【０００７】
本考案の装置によれば、足場ボルト等の大型ボルトの磨き作業を自動的に行う事が出来るので、作業者の労力を減らすことができる。
また構成がシンプルであって、小型化が可能であるので、製造コストを軽減することが出来る利点がある。
又、請求項３記載のように、回転ブラシの接合部上に補助ブラシを設けておくことにより、足場ボルトの磨き作業を一層効率的に行うこと出来る利点がある。
【実施例１】
【０００８】
以下添付図面に基づいて各装置の構成につき説明する。
図１乃至図３において、１は本考案に係る足場ボルトの磨き装置であって、基台１２上に設けた１対の円筒状の回転ブラシ１０，１１と、一方の回転ブラシ１０を回転駆動する駆動手段２０と、他方の回転ブラシ１１を径方向に所要距離移動させるブラシ移動手段３０と、足場ボルトの搬入レール４０及び足場ボルトの搬出レール５０を備えてなる。
【０００９】
前記回転ブラシ１０，１１は、夫々回転軸１５の外周全体に金属製のブラシ毛を植設してなり、一方の回転ブラシ１０は、基台１２上に所要間隔を置いて立設した支持部材１３、１３の上端部間に水平にして軸着してある。
又、他方の回転ブラシ１１は、下端部を前記基台１２上に軸着し立設した支持部材１４、１４の上端部間に水平に軸着して回転ブラシ１０と並設すると共に、前記支持部材１４、１４を軸部１６から回動させることにより、両回転ブラシ間の間隔を適宜調節可能に構成してある。
而して、両回転ブラシ１０、１１は、その軸方向の長さを足場ボルトの長さより適宜長く形成して、両回転ブラシの接触部上に足場ボルトＡを載せ得るように構成してある。
又、１７は支持部材１３に付設した間隔保持部材であって、その先端部が支持部材１４に当接する事によって、回転ブラシ１０と回連ブラシ１１間の間隔を適当に接触保持した状態になるように構成してある。
【００１０】
前記回転駆動手段２０は、基台１２上方の一側に設けた取付台２１に駆動源である駆動モーター２２を装着して、該駆動モーター２１の駆動軸と回転ブラシ１０の回転軸とをベルト２３により連結して構成してなる。
【００１１】
前記ブラシ移動手段３０は、前記支持部材１４、１４に夫々支持板３１、３１を水平に設け、該支持板３１、３１を連結板３２により連結すると共に、前記連結板３２の左右両端部の上面部にはブラケット３３、３３を夫々付設してある。
而して、各ブラケット３３、３３に、基部を基台１２に軸着したエアシリンダー３４、３４の各出力ロッド３５、３５の先端部を夫々軸支して、各出力ロッド３５の伸縮動作により支持部材１４を軸部１６で回動させて、回転ブラシ１１が径方向に所要間隔往復移動し得るように構成してある。
【００１２】
前記搬入レール４０は、一対の金属ロッドを所定間隔をおいて並設して、その先端部を回転ブラシ１０の上方に位置させて配設してあり、製造装置から供給される足場ボルトＡを，水平状態にして回転ブラシ１０の上に搬入し得るように構成してある。４１は搬入される足場ボルトのガイド板を示す。
【００１３】
また、前記搬出レール５０は、一対の金属ロッドを所定間隔を置いて並設してなり、両回転ブラシ１０，１１の下方に下向きに緩やかに傾斜させて配設してあり、回転ブラシ１０，１１の間から落下する足場ボルトを受け止め、転動させつつ次の工程（検査工程）に送出するように構成してある。
【００１４】
また、回転ブラシ１０，１１の接触部上方には、該回転ブラシと所定間隔を置いて、足場ボルトＡの頭部ａ、軸部ｂ及び雄ネジ部ｃの各部分の表面部ｄを磨くための補助ブラシ６０、６１、６２を夫々配設してある。
【００１５】
次に本考案に係るボルト磨き装置１の動作につき説明する。
回転ブラシ１０，１１が互いに離間した状態から、各エアシリンダー３４が作動して、その出力ロッド３５が延伸方向に移動すると、支持部材１４は内側に回動して、回転ブラシ１１が回転ブラシ１０と接触する状態まで移動する。
而して、製造装置より供給された足場ボルトＡは、搬入レール４０上を転動して、回転ブラシ１０，１１の接触部上に移載される。
次に、駆動モーター２１が作動すると、回転ブラシ１０と回転ブラシ１１が接触した状態で回転するため、足場ボルトＡは回転され乍ら回転ブラシ１０、１１によりその周面部が磨かれると共に、補助ブラシ６０、，６１、６２により頭部ａ、軸部ｂ及びネジ部ｃの各部分の表面部ｄが同時に磨かれる。
磨き作業が終了すると、各エアシリンダー３４の出力ロッド３５が没入方向に移動して
支持部材１４を外側に回動する。
而して、回転ブラシ１１が回転ブラシ１０より離れるため、磨かれた足場ボルトは搬出レール５０上に落下して、該レール上を転動しながら次工程（検査工程）に送出される。
なお、以上の動作は自動的に行われるようになっている。
【図面の簡単な説明】
【００１６】
【図１】ボルト磨き装置の平面概略図である。
【図２】同上正面概略図である。
【図３】回転ブラシを離間した状態を示す正面概略図である。
【図４】足場ボルトの概略図である。
【符号の説明】
【００１７】
１      磨き装置
１０    回転ブラシ
１１    回転ブラシ
１２    基台
１３    支持部材
１４    支持部材
１７    間隔保持部材
２０    回転駆動手段
２１    取付台
２２    駆動モーター
２３    ベルト
３０    ブラシ移動手段
３１    支持板
３２    連結板
３３    ブラケット
３４    エアシリンダー
３５    出力ロッド
４０    搬入レール
４１    ガイド板
５０    搬出レール
６０    補助ブラシ
６１    補助ブラシ
６２    補助ブラシ
【図１】
0003180894.tif 000003
【図２】
0003180894.tif 000004
【図３】
0003180894.tif 000005
【図４】
0003180894.tif 000006